(57)【要約】【課題】電波の伝搬品質の劣化が一時的か否かを判定できるようにする。【解決手段】本発明の一実施形態に係る伝搬品質判定装置１は、通信装置による電波の伝搬品質を示す値を取得する伝搬品質取得部１１１と、通信装置が位置する地域における降雨の状況を示す降雨情報を取得する降雨情報取得部１１２と、伝搬品質を示す値が第１値以下であり、かつ降雨情報が地域において雨が降っていることを示す場合に、伝搬品質に雨の影響があると判定する判定部１１３と、判定部１１３が伝搬品質に雨の影響があると判定しなかった場合に、所定の宛先へ通知を送信し、判定部が伝搬品質に雨の影響があると判定した場合に、通知を送信しない出力部１１４と、を有する。【選択図】図２
2020048080.tif 000002
【特許請求の範囲】
【請求項１】
通信装置による電波の伝搬品質を示す値を取得する伝搬品質取得部と、
前記通信装置が位置する地域における降雨の状況を示す降雨情報を取得する降雨情報取得部と、
前記伝搬品質を示す値が第１値以下であり、かつ前記降雨情報が前記地域において雨が降っていることを示す場合に、前記伝搬品質に前記雨の影響があると判定する判定部と、
前記判定部が前記伝搬品質に前記雨の影響があると判定しなかった場合に、所定の宛先へ通知を送信し、前記判定部が前記伝搬品質に前記雨の影響があると判定した場合に、前記通知を送信しない出力部と、
を有する伝搬品質判定装置。
【請求項２】
前記判定部は、前記伝搬品質を示す値が前記第１値以下であり、かつ前記降雨情報が前記地域の前記雨の量が第２値以上である場合に、前記伝搬品質に前記雨の影響があると判定する、請求項１に記載の伝搬品質判定装置。
【請求項３】
前記判定部は、前記伝搬品質に前記雨の影響があると判定した後、前記伝搬品質を示す値が前記第１値以下であり、かつ前記降雨情報が前記地域において前記雨が止んだこと又は前記雨の量が第２値より小さいことを示す場合に、前記通信装置に障害が発生していると判定し、
前記出力部は、前記判定部が前記通信装置に前記障害が発生していると判定した場合に、前記通知を送信する、請求項１又は２に記載の伝搬品質判定装置。
【請求項４】
前記降雨情報取得部は、前記伝搬品質を示す値が前記第１値以下になった場合に、前記降雨情報を取得する、請求項１から３のいずれか一項に記載の伝搬品質判定装置。
【請求項５】
前記伝搬品質取得部は、第１頻度で前記伝搬品質を示す値を取得し、前記伝搬品質を示す値が前記第１値以下になった後に前記第１頻度よりも高い第２頻度で前記伝搬品質を示す値を取得する、請求項１から４のいずれか一項に記載の伝搬品質判定装置。
【請求項６】
前記伝搬品質取得部は、前記伝搬品質を示す値が前記第１値以下になった後、前記降雨情報が前記地域において前記雨が止んだこと又は前記雨の量が第２値より小さいことを示す場合に前記伝搬品質を示す値を取得する、請求項１から５のいずれか一項に記載の伝搬品質判定装置。
【請求項７】
前記判定部は、前記伝搬品質を示す値が前記第１値以下になった後、前記伝搬品質を示す値が前記第１値より大きく、かつ前記降雨情報が前記地域において前記雨が止んだこと又は前記雨の量が第２値より小さいことを示す場合に、前記伝搬品質に前記雨の影響がなくなったと判定する、請求項５又は６に記載の伝搬品質判定装置。
【請求項８】
前記判定部は、前記地域における過去の前記雨の量と前記伝搬品質の値とを関連付けた統計情報に基づいて、前記第１値を決定する、請求項１から７のいずれか一項に記載の伝搬品質判定装置。
【請求項９】
前記降雨情報取得部は、将来の降雨の状況を示す予測情報を取得し、
前記伝搬品質取得部は、前記予測情報によって前記雨が降ると予測された前記地域に位置する前記通信装置の前記伝搬品質を示す値を取得する、請求項１から８のいずれか一項に記載の伝搬品質判定装置。
【請求項１０】
前記判定部は、前記伝搬品質に前記雨の影響があると判定しなかった場合に、時系列の前記伝搬品質を示す値に基づいて、前記伝搬品質に影響を与えている原因を推定する、請求項１から９のいずれか一項に記載の伝搬品質判定装置。
【請求項１１】
コンピュータが実行する、
通信装置による電波の伝搬品質を示す値を取得するステップと、
前記通信装置が位置する地域における降雨の状況を示す降雨情報を取得するステップと、
前記伝搬品質を示す値が第１値以下であり、かつ前記降雨情報が前記地域において雨が降っていることを示す場合に、前記伝搬品質に前記雨の影響があると判定するステップと、
前記判定するステップが前記伝搬品質に前記雨の影響があると判定しなかった場合に、所定の宛先へ通知を送信し、前記判定するステップが前記伝搬品質に前記雨の影響があると判定した場合に、前記通知を送信しないステップと、
を有する伝搬品質判定方法。
【請求項１２】
コンピュータに、
通信装置による電波の伝搬品質を示す値を取得するステップと、
前記通信装置が位置する地域における降雨の状況を示す降雨情報を取得するステップと、
前記伝搬品質を示す値が第１値以下であり、かつ前記降雨情報が前記地域において雨が降っていることを示す場合に、前記伝搬品質に前記雨の影響があると判定するステップと、
前記判定するステップが前記伝搬品質に前記雨の影響があると判定しなかった場合に、所定の宛先へ通知を送信し、前記判定するステップが前記伝搬品質に前記雨の影響があると判定した場合に、前記通知を送信しないステップと、
を実行させる伝搬品質判定プログラム。
【発明の詳細な説明】
【技術分野】
【０００１】
本発明は、電波の伝搬品質を判定するための伝搬品質判定装置、伝搬品質判定方法及び伝搬品質判定プログラムに関する。
【背景技術】
【０００２】
従来、通信装置において無線通信の状況を監視し、障害の発生を検出する方法が知られている。特許文献１には、無線通信に係る複数の統計情報の組み合わせに基づいて、障害の発生を検出するだけでなく障害の原因を特定する装置が開示されている。
【先行技術文献】
【特許文献】
【０００３】
【特許文献１】特開２００９−１１７９５４号公報
【発明の概要】
【発明が解決しようとする課題】
【０００４】
基地局等の通信装置において電波の伝搬品質（例えば通信品質）が劣化している場合に、樹木や建築物が電波を遮っていること等によって継続的に伝搬品質が劣化しているか、あるいは雨の影響等によって一時的に伝搬品質が劣化しているかをすぐに判別することは難しい。伝搬品質の劣化が継続的である場合には、基地局に対して何らかの処置をしなければサービスに悪影響が出てしまい、顧客の満足度が低下するおそれがある。一方、伝搬品質の劣化が一時的である場合には、伝搬品質が自然に改善するため、作業者を基地局に派遣しても無駄になるおそれがある。
【０００５】
本発明はこれらの点に鑑みてなされたものであり、電波の伝搬品質の劣化が一時的か否かを判定できる伝搬品質判定装置、伝搬品質判定方法及び伝搬品質判定プログラムを提供することを目的とする。
【課題を解決するための手段】
【０００６】
本発明の第１の態様の伝搬品質判定装置は、通信装置による電波の伝搬品質を示す値を取得する伝搬品質取得部と、前記通信装置が位置する地域における降雨の状況を示す降雨情報を取得する降雨情報取得部と、前記伝搬品質を示す値が第１値以下であり、かつ前記降雨情報が前記地域において雨が降っていることを示す場合に、前記伝搬品質に前記雨の影響があると判定する判定部と、前記判定部が前記伝搬品質に前記雨の影響があると判定しなかった場合に、所定の宛先へ通知を送信し、前記判定部が前記伝搬品質に前記雨の影響があると判定した場合に、前記通知を送信しない出力部と、を有する。
【０００７】
前記判定部は、前記伝搬品質を示す値が前記第１値以下であり、かつ前記降雨情報が前記地域の前記雨の量が第２値以上である場合に、前記伝搬品質に前記雨の影響があると判定してもよい。
【０００８】
前記判定部は、前記伝搬品質に前記雨の影響があると判定した後、前記伝搬品質を示す値が前記第１値以下であり、かつ前記降雨情報が前記地域において前記雨が止んだこと又は前記雨の量が第２値より小さいことを示す場合に、前記通信装置に障害が発生していると判定し、前記出力部は、前記判定部が前記通信装置に前記障害が発生していると判定した場合に、前記通知を送信してもよい。
【０００９】
前記降雨情報取得部は、前記伝搬品質を示す値が前記第１値以下になった場合に、前記降雨情報を取得してもよい。
【００１０】
前記伝搬品質取得部は、第１頻度で前記伝搬品質を示す値を取得し、前記伝搬品質を示す値が前記第１値以下になった後に前記第１頻度よりも高い第２頻度で前記伝搬品質を示す値を取得してもよい。
【００１１】
前記伝搬品質取得部は、前記伝搬品質を示す値が前記第１値以下になった後、前記降雨情報が前記地域において前記雨が止んだこと又は前記雨の量が第２値より小さいことを示す場合に前記伝搬品質を示す値を取得してもよい。
【００１２】
前記判定部は、前記伝搬品質を示す値が前記第１値以下になった後、前記伝搬品質を示す値が前記第１値より大きく、かつ前記降雨情報が前記地域において前記雨が止んだこと又は前記雨の量が第２値より小さいことを示す場合に、前記伝搬品質に前記雨の影響がなくなったと判定してもよい。
【００１３】
前記判定部は、前記地域における過去の前記雨の量と前記伝搬品質の値とを関連付けた統計情報に基づいて、前記第１値を決定してもよい。
【００１４】
前記降雨情報取得部は、将来の降雨の状況を示す予測情報を取得し、前記伝搬品質取得部は、前記予測情報によって前記雨が降ると予測された前記地域に位置する前記通信装置の前記伝搬品質を示す値を取得してもよい。
【００１５】
前記判定部は、前記伝搬品質に前記雨の影響があると判定しなかった場合に、時系列の前記伝搬品質を示す値に基づいて、前記伝搬品質に影響を与えている原因を推定してもよい。
【００１６】
本発明の第２の態様の伝搬品質判定方法は、コンピュータが実行する、通信装置による電波の伝搬品質を示す値を取得するステップと、前記通信装置が位置する地域における降雨の状況を示す降雨情報を取得するステップと、前記伝搬品質を示す値が第１値以下であり、かつ前記降雨情報が前記地域において雨が降っていることを示す場合に、前記伝搬品質に前記雨の影響があると判定するステップと、前記判定するステップが前記伝搬品質に前記雨の影響があると判定しなかった場合に、所定の宛先へ通知を送信し、前記判定するステップが前記伝搬品質に前記雨の影響があると判定した場合に、前記通知を送信しないステップと、を有する。
【００１７】
本発明の第３の態様の伝搬品質判定プログラムは、コンピュータに、通信装置による電波の伝搬品質を示す値を取得するステップと、前記通信装置が位置する地域における降雨の状況を示す降雨情報を取得するステップと、前記伝搬品質を示す値が第１値以下であり、かつ前記降雨情報が前記地域において雨が降っていることを示す場合に、前記伝搬品質に前記雨の影響があると判定するステップと、前記判定するステップが前記伝搬品質に前記雨の影響があると判定しなかった場合に、所定の宛先へ通知を送信し、前記判定するステップが前記伝搬品質に前記雨の影響があると判定した場合に、前記通知を送信しないステップと、を実行させる。
【発明の効果】
【００１８】
本発明によれば、電波の伝搬品質の劣化が一時的か否かを判定できるという効果を奏する。
【図面の簡単な説明】
【００１９】
【図１】実施形態に係る伝搬品質判定システムの模式図である。
【図２】実施形態に係る伝搬品質判定システムのブロック図である。
【図３】基地局の通信部が取得する受信レベルのグラフを示す図である。
【図４】判定部による判定結果の模式図である。
【図５】伝搬品質判定装置から受信した通知を表示している表示端末の正面図である。
【図６】実施形態に係る伝搬品質判定方法のフローチャートを示す図である。
【発明を実施するための形態】
【００２０】
［伝搬品質判定システムＳの概要］
図１は、本実施形態に係る伝搬品質判定システムＳの模式図である。伝搬品質判定システムＳは、伝搬品質判定装置１と、１つ又は複数の基地局２と、表示端末３とを含む。伝搬品質判定システムＳは、その他のサーバ、端末等の機器を含んでもよい。
【００２１】
伝搬品質判定装置１は、基地局２による電波の伝搬品質を判定するコンピュータである。伝搬品質判定装置１は、有線又は無線でインターネット、ローカルエリアネットワーク等のネットワークＮに接続される。
【００２２】
基地局２は、ＬＴＥ（Long Term Evolution）等の無線通信（移動体通信）を行うことが可能な通信装置である。基地局２は、アンテナ、プロセッサ、電気回路等、無線通信のための電波の伝搬に必要な設備を備える。基地局２は、有線又は無線でネットワークＮに接続される。また、基地局２は、基地局２が位置する地域の降雨量（雨の量）を測定する測定部２１を有する。
【００２３】
表示端末３は、情報を表示可能なコンピュータである。表示端末３は、例えばパーソナルコンピュータや、スマートフォン、タブレット端末等の携帯端末である。表示端末３は、液晶ディスプレイ等、情報を表示可能な表示装置を含む。表示端末３は、ネットワークＮを介して伝搬品質判定装置１から受信した情報を表示する。
【００２４】
本実施形態に係る伝搬品質判定システムＳが実行する処理の概要を以下に説明する。基地局２は、電波の送信先である通信機器（例えば他の基地局２や交換局）が測定した電波の伝搬品質を示す値（例えば受信レベル）を該通信機器から取得し、伝搬品質判定装置１へ送信する（ａ）。また、基地局２は、測定部２１を用いて基地局２が位置する地域の降雨量を測定し、降雨情報として伝搬品質判定装置１へ送信する（ｂ）。
【００２５】
伝搬品質判定装置１は、基地局２の受信レベルが所定値以下であり、かつ降雨情報が基地局２の位置する地域において雨が降っていることを示す場合に、受信レベルの低下に雨の影響がある（すなわち伝搬品質の劣化が一時的である）と判定する（ｃ）。一方、伝搬品質判定装置１は、基地局２の受信レベルが所定値以下であり、かつ降雨情報が基地局２の位置する地域において雨が降っていることを示さない場合に、受信レベルの低下に雨の影響がない（すなわち伝搬品質の劣化が一時的でない）と判定する。
【００２６】
そして伝搬品質判定装置１は、受信レベルの低下に雨の影響がないと判定した場合に、所定の通知（例えば障害が発生した可能性を示す通知）を表示端末３へ送信する（ｄ）。表示端末３は、伝搬品質判定装置１から受信した通知を表示する。
【００２７】
このように伝搬品質判定システムＳは、基地局２の電波の伝搬品質が劣化した場合に、基地局２の位置する地域における降雨の状況を示す降雨情報を取得することによって、伝搬品質の劣化が一時的か否かを判定できる。そして伝搬品質判定システムＳは、伝搬品質の劣化が一時的であると判定した場合に基地局２を管理する事業者に対する通知を送信しないため、一時的な伝搬品質の劣化の際に事業者が作業者を基地局２に派遣して無駄なコストを発生させることを抑制できる。
【００２８】
［伝搬品質判定システムＳの構成］
図２は、本実施形態に係る伝搬品質判定システムＳのブロック図である。図２において、矢印は主なデータの流れを示しており、図２に示していないデータの流れがあってよい。図２において、各ブロックはハードウェア（装置）単位の構成ではなく、機能単位の構成を示している。そのため、図２に示すブロックは単一の装置内に実装されてよく、あるいは複数の装置内に分かれて実装されてよい。ブロック間のデータの授受は、データバス、ネットワーク、可搬記憶媒体等、任意の手段を介して行われてよい。
【００２９】
伝搬品質判定装置１は、制御部１１と、記憶部１２とを有する。制御部１１は、伝搬品質取得部１１１と、降雨情報取得部１１２と、判定部１１３と、出力部１１４とを有する。
【００３０】
記憶部１２は、ＲＯＭ（Read Only Memory）、ＲＡＭ（Random Access Memory）、ハードディスクドライブ等を含む記憶媒体である。記憶部１２は、制御部１１が実行するプログラムを予め記憶している。記憶部１２は、伝搬品質判定装置１の外部に設けられてもよく、その場合にネットワークを介して制御部１１との間でデータの授受を行ってもよい。
【００３１】
制御部１１は、例えばＣＰＵ（Central Processing Unit）等のプロセッサであり、記憶部１２に記憶されたプログラムを実行することにより、伝搬品質取得部１１１、降雨情報取得部１１２、判定部１１３及び出力部１１４として機能する。制御部１１の機能の少なくとも一部は、電気回路によって実行されてもよい。また、制御部１１の機能の少なくとも一部は、ネットワーク経由で実行されるプログラムによって実行されてもよい。
【００３２】
基地局２は、測定部２１と、通信部２２とを有する。測定部２１は、基地局２が位置する地域の降雨量を測定する降雨センサを備える。測定部２１は、降雨センサを用いて測定した降雨量を、基地局２が位置する地域における降雨の状況を示す降雨情報として伝搬品質判定装置１へ送信する。測定部２１は、気温を測定する気温センサや湿度を測定する湿度センサをさらに備えてもよい。
【００３３】
通信部２２は、電波を伝搬することによって通信をするための通信インターフェースである。通信部２２は、無線通信を実行するためのアンテナ、プロセッサ、電気回路等を含む。通信部２２は、外部から受信した電波を示す信号に所定の処理を行ってデータを取得する。また通信部２２は、送信対象のデータに所定の処理を行って信号を生成し、生成した信号を電波として外部に送信する。
【００３４】
さらに通信部２２は、電波の伝搬品質を示す値として、電波の送信先である通信機器が測定した電波の受信レベルを該通信機器から取得する。通信部２２は、取得した受信レベルを、伝搬品質判定装置１へ送信する。通信部２２は、受信レベルに限らず、パケット損失率、ＲＴＴ（Round Trip Time）等、電波の伝搬品質を示すその他の値を取得してもよい。
【００３５】
本実施形態において、通信部２２は、エントランス回線として基地局間又は基地局−交換局間で電波の授受を行う。エントランス回線は、高周波数帯域の電波を用いることが多いため、雨の影響を受けやすい。そのため、伝搬品質判定装置１は、エントランス回線の伝搬品質に対する雨の影響の有無を判定する。これに限られず、伝搬品質判定装置１は、基地局−通信端末間で授受される電波の伝搬品質に対する雨の影響の有無を判定してもよい。
【００３６】
本実施形態に係る伝搬品質判定システムＳは、図２に示す具体的な構成に限定されない。伝搬品質判定装置１、基地局２及び表示端末３は、それぞれ１つの装置に限られず、２つ以上の物理的に分離した装置が有線又は無線で接続されることにより構成されてもよい。
【００３７】
［伝搬品質判定方法の説明］
本実施形態に係る伝搬品質判定システムＳが実行する伝搬品質判定方法を以下に説明する。基地局２の通信部２２は、電波の伝搬品質を示す値として受信レベルを取得する。図３（ａ）、図３（ｂ）は、基地局２の通信部２２が取得する受信レベルのグラフを示す図である。図３（ａ）、図３（ｂ）において、横軸は時間（任意単位）を表し、縦軸は受信レベル（任意単位）を表す。図３（ａ）、図３（ｂ）のグラフは、降雨が開始したタイミングと降雨が終了したタイミングとを、それぞれ矢印で表している。
【００３８】
伝搬品質判定装置１には、受信レベルの基準値α、判定値β及び受信閾値γが予め設定されている。基準値αは、正常時の受信レベルの値である。受信閾値γは、受信レベルがこれ以下になると電波の伝搬に異常が発生する値である。判定値βは、電波の伝搬に異常が発生する前に伝搬品質の劣化が一時的であるか否かを判定するための値である。判定値βは、基準値αよりも低い値であって、受信閾値γよりも高い値である。
【００３９】
図３（ａ）の例では、受信レベルは降雨開始後に判定値β以下になっているものの、降雨終了後に判定値βより大きくなっている。そのため、図３（ａ）は、受信レベルが雨の影響によって一時的に低下している、すなわち伝搬品質の劣化が一時的であると判定できる例である。
【００４０】
図３（ｂ）の例では、受信レベルは降雨開始後に判定値β以下になり、さらに降雨終了後にも判定値β以下のままである。そのため、図３（ｂ）は、受信レベルが雨の影響によらず継続的に低下している、すなわち伝搬品質の劣化が一時的でないと判定できる例である。
【００４１】
通信部２２は、取得した受信レベルを、伝搬品質判定装置１へ送信する。伝搬品質判定装置１において、伝搬品質取得部１１１は、基地局２が送信した受信レベルを受信して取得する。
【００４２】
伝搬品質取得部１１１は、所定条件が満たされたタイミングで受信レベルを取得してもよい。具体的には、伝搬品質取得部１１１は、受信レベルが判定値β以下になった後、降雨量が所定の基準降雨量より小さくなった又は雨が止んだ場合に、受信レベルを取得してもよい。このような構成により、伝搬品質取得部１１１は、雨が弱くなった又は雨が止んだタイミングで受信レベルを取得するため、受信レベルを常時取得する必要がなく、受信レベルを取得するのに掛かる通信負荷を低減できる。
【００４３】
また、伝搬品質取得部１１１は、所定の頻度で受信レベルを繰り返し取得してもよい。さらに、伝搬品質取得部１１１は、受信レベルに基づいて、受信レベルを取得する頻度を変更してもよい。具体的には、伝搬品質取得部１１１は、受信レベルが判定値βより大きい場合に第１頻度で受信レベルを取得し、受信レベルが判定値β以下になった場合に第１頻度よりも高い第２頻度で受信レベルを取得する。このような構成により、伝搬品質取得部１１１は、受信レベルが低下した場合に高頻度で受信レベルの状況を取得し、高精度に障害発生の可能性を判定できる。
【００４４】
通信部２２による受信レベルの測定と並行して、基地局２の測定部２１は、基地局２が位置する地域の降雨量を測定する。測定部２１は、測定した降雨量を、降雨情報として伝搬品質判定装置１へ送信する。また、測定部２１は、降雨量に代えて、雨が降っているか否かを示す降雨情報を送信してもよい。
【００４５】
伝搬品質判定装置１において、降雨情報取得部１１２は、基地局２が送信した降雨情報を受信して取得する。降雨情報取得部１１２は、降雨情報を所定の頻度で繰り返し取得してもよく、あるいは所定条件が満たされたタイミングで取得してもよい。具体的には、降雨情報取得部１１２は、受信レベルが判定値β以下になった場合に、降雨情報を取得する。このような構成により、降雨情報取得部１１２は、受信レベルが低下したタイミングで降雨情報を取得するため、降雨情報を常時取得する必要がなく、降雨情報を取得するのに掛かる通信負荷を低減できる。
【００４６】
別の方法として、降雨情報取得部１１２は、基地局２とは異なる外部サーバから、基地局２が位置する地域における降雨の状況を示す降雨情報を受信して取得してもよい。また、降雨情報取得部１１２は、ＳＮＳ（Social Networking Service）等のネットワークサービスから、ユーザが発信した各地域における降雨の状況を降雨情報として取得してもよい。
【００４７】
さらに降雨情報取得部１１２は、現在の降雨の状況を示す降雨情報に加えて、将来の降雨の状況を示す予測情報を、外部サーバから受信して取得してもよい。この場合に、伝搬品質取得部１１１は、予測情報によって雨が降ると予測された地域に位置する基地局２から、受信レベルを取得する。このような構成により、伝搬品質取得部１１１は、雨が降る可能性のある地域に位置する基地局から受信レベルを取得するため、全ての基地局２から受信レベルを取得する必要がなく、受信レベルを取得するのに掛かる通信負荷を低減できる。さらに、降雨情報取得部１１２は、予測情報によって雨が降ると予測された時刻に近付いた場合（例えば雨が降ると予測された時刻を含む所定時間範囲内になった場合）に、そうでない場合よりも降雨情報を取得する頻度を高くしてもよい。これにより、降雨情報取得部１１２は、予測された降雨時刻前後において実際の降雨の状況をより正確に取得することができる。
【００４８】
次に、判定部１１３は、伝搬品質取得部１１１が取得した伝搬品質を示す値である受信レベルと、降雨情報取得部１１２が取得した降雨の状況を示す降雨情報とに基づいて、受信レベルの低下に雨の影響がある（すなわち伝搬品質の劣化が一時的である）か否かを判定する。
【００４９】
具体的には、判定部１１３は、伝搬品質取得部１１１が取得した受信レベルが判定値β以下であるか否かを判定する。また、降雨情報取得部１１２が取得した降雨情報が、雨が降っていることを示しているか否かを判定する。このとき、判定部１１３は、降雨情報が示す降雨量が基準降雨量以上であるか、あるいは雨が降っていることを降雨情報が示している場合に、雨が降っていると判定する。判定値β（第１値）及び基準降雨量（第２値）は、予め記憶部１２に記憶されている。
【００５０】
判定値βは、伝搬品質判定装置１の管理者によって手動で設定された所定の値であってもよい。電波の周波数によって降雨の影響度が変化する（すなわち周波数が高いほど降雨の影響を受けやすい）ため、判定値βは、判定部１１３によって基地局２が伝搬する電波の周波数に基づいて自動的に決定されてもよい。
【００５１】
あるいは判定値βは、判定部１１３によって統計情報に基づいて自動的に決定されてもよい。この場合に、記憶部１２は、基地局２が位置する地域における過去の降雨量と、受信レベルとを関連付けた統計情報を予め記憶している。判定部１１３は、過去の降雨量及び受信レベルを関連付けた統計情報に基づいて、判定値βを決定する。例えば判定部１１３は、降雨情報取得部１１２が取得した現在の降雨量に近似する過去の降雨量に関連付けられた受信レベルの統計値（例えば平均値や中央値）を算出し、算出した統計値を判定値βとして決定する。これにより、判定部１１３は、統計情報に基づいて、より適切な判定値βを設定できる。
【００５２】
そして判定部１１３は、伝搬品質取得部１１１が取得した受信レベルが判定値βより大きい場合に、伝搬品質が正常であると判定する。判定部１１３は、伝搬品質取得部１１１が取得した受信レベルが判定値β以下であり、かつ雨が降っていることを降雨情報取得部１１２が取得した降雨情報が示している場合に、伝搬品質（受信レベル）の劣化に雨の影響があると判定する。判定部１１３は、伝搬品質取得部１１１が取得した受信レベルが判定値β以下であり、かつ雨が降っていることを降雨情報取得部１１２が取得した降雨情報が示していない場合に、伝搬品質（受信レベル）の劣化に雨の影響がないと判定する。判定部１１３は、判定結果を記憶部１２に記憶させる。
【００５３】
図４は、判定部１１３による判定結果Ｒの模式図である。判定結果Ｒは、識別情報Ｒ１と、受信レベルＲ２と、降雨量Ｒ３と、判定Ｒ４とを含む。識別情報Ｒ１は、基地局２を識別するための情報であり、例えば基地局２に割り振られたＩＤである。受信レベルＲ２は、基地局２から受信した受信レベルである。降雨量Ｒ３は、基地局２から受信した降雨情報が示す降雨量である。
【００５４】
判定Ｒ４は、判定部１１３による判定結果である。例えば判定Ｒ４は、伝搬品質が正常であると判定部１１３が判定した場合に、「正常」に設定される。判定Ｒ４は、伝搬品質の劣化に雨の影響があると判定部１１３が判定した場合に、「降雨影響あり」に設定される。判定Ｒ４は、伝搬品質の劣化に雨の影響がないと判定部１１３が判定した場合に、「降雨影響なし」に設定される。
【００５５】
図４において判定結果Ｒは視認性のために文字列の表で表されているが、各データは任意の形式で記録されてもよく、例えば文字列データ、数値データおよびバイナリデータのいずれでもよい。判定結果Ｒは、データベースとして記録されてもよく、あるいはデータを列挙したリストとして記録されてもよい。
【００５６】
判定部１１３は、伝搬品質の劣化に雨の影響があると判定した後、再び伝搬品質取得部１１１が取得した受信レベルが判定値β以下であるか否かを判定するとともに、雨が降っていることを降雨情報取得部１１２が取得した降雨情報が示しているか否かを判定する。そして判定部１１３は、伝搬品質取得部１１１が取得した受信レベルが判定値βより大きく、かつ雨が降っていることを降雨情報取得部１１２が取得した降雨情報が示していない場合に、伝搬品質に雨の影響がなくなった、すなわち伝搬品質が正常になったと判定する。この場合に、判定部１１３は、記憶部１２において、判定結果Ｒの判定Ｒ４を「正常」に設定する。
【００５７】
出力部１１４は、判定部１１３が伝搬品質の劣化に雨の影響がない（すなわち伝搬品質の劣化が一時的でない）と判定した場合に、ネットワークＮを介して所定の宛先（例えば予め設定されたＩＰアドレス又はメールアドレス）に対応する表示端末３へ通知を送信する。一方、出力部１１４は、判定部１１３が伝搬品質の劣化に雨の影響がある（すなわち伝搬品質の劣化が一時的である）と判定した場合に、通知を送信しない。出力部１１４は、ネットワークＮを介した送信に限らず、プリンタを用いて紙を印刷したり、スピーカを用いて音声を発生させたりすることによって、通知を出力してもよい。
【００５８】
図５は、伝搬品質判定装置１から受信した通知Ｍを表示している表示端末３の正面図である。通知Ｍは、基地局２の識別情報と、一時的でない伝搬品質の劣化が検出された旨のメッセージとを含む。基地局２を管理する事業者は通知Ｍを見て、作業者を基地局２に派遣するか否かを判断することができる。通知Ｍは、その他の情報を含んでもよい。
【００５９】
このように、伝搬品質判定装置１は、伝搬品質の劣化が一時的であると判定した場合に事業者に対する通知を送信しないため、事業者が作業者を基地局２に派遣して無駄なコストを発生させることを抑制できる。
【００６０】
出力部１１４は、判定部１１３が伝搬品質の劣化に雨の影響があると判定した後、雨が止んだ又は弱まった場合であって、かつ伝搬品質が劣化したままである場合に、通知を送信してもよい。具体的には、判定部１１３が伝搬品質の劣化に雨の影響があると判定した後、伝搬品質取得部１１１は受信レベルを繰り返し取得するとともに、降雨情報取得部１１２は降雨情報を繰り返し取得する。そして判定部１１３は、伝搬品質取得部１１１が取得した受信レベルが判定値β以下であり、かつ雨が降っていることを降雨情報取得部１１２が取得した降雨情報が示していない場合に、基地局２に障害が発生していると判定する。
【００６１】
そして出力部１１４は、基地局２に障害が発生していると判定部１１３が判定した場合に、ネットワークＮを介して所定の宛先に対応する表示端末３へ障害が発生している旨を示す通知を送信する。このような構成によれば、伝搬品質判定装置１は、雨の影響がなくなった後に受信レベルが低下したままの場合に通知を送信するため、基地局２に障害が発生している蓋然性が高いタイミングで通知を送信できる。
【００６２】
［伝搬品質判定方法のフローチャート］
図６は、本実施形態に係る伝搬品質判定方法のフローチャートを示す図である。基地局２の通信部２２は、電波の伝搬品質を示す値として受信レベルを取得し、取得した受信レベルを伝搬品質判定装置１へ送信する。伝搬品質判定装置１において、伝搬品質取得部１１１は、基地局２が送信した受信レベルを受信して取得する（Ｓ１１）。
【００６３】
基地局２の測定部２１は、基地局２が位置する地域の降雨量を測定する。測定部２１は、測定した降雨量を、降雨情報として伝搬品質判定装置１へ送信する。伝搬品質判定装置１において、降雨情報取得部１１２は、基地局２が送信した降雨情報を受信して取得する（Ｓ１２）。
【００６４】
判定部１１３は、伝搬品質取得部１１１が取得した受信レベルが判定値β以下であるか否かを判定する。また、降雨情報取得部１１２が取得した降雨情報が雨を降っていることを示しているか否かを判定する。判定部１１３は、伝搬品質取得部１１１が取得した受信レベルが判定値βより大きい場合に（Ｓ１３のＮＯ）、伝搬品質が正常であると判定する（Ｓ１４）。そして伝搬品質判定装置１は、Ｓ１９に進む。
【００６５】
判定部１１３は、伝搬品質取得部１１１が取得した受信レベルが判定値β以下であり（Ｓ１３のＹＥＳ）、かつ雨が降っていることを降雨情報取得部１１２が取得した降雨情報が示している場合に（Ｓ１５のＮＯ）、伝搬品質（受信レベル）の劣化に雨の影響があると判定する（Ｓ１６）。そして伝搬品質判定装置１は、Ｓ１９に進む。
【００６６】
判定部１１３は、伝搬品質取得部１１１が取得した受信レベルが判定値β以下であり（Ｓ１３のＹＥＳ）、かつ雨が降っていることを降雨情報取得部１１２が取得した降雨情報が示していない場合に（Ｓ１５のＹＥＳ）、伝搬品質（受信レベル）の劣化に雨の影響がないと判定する（Ｓ１７）。出力部１１４は、ネットワークＮを介して所定の宛先に対応する表示端末３へ通知を送信する（Ｓ１８）。表示端末３は、伝搬品質判定装置１から受信した通知を表示する。そして伝搬品質判定装置１は、Ｓ１９に進む。
【００６７】
所定の終了条件（例えば管理者が伝搬品質判定装置１に対して所定の終了操作を行うこと）が満たされていない場合に（Ｓ１９のＮＯ）、伝搬品質判定装置１はステップＳ１１に戻って処理を繰り返す。所定の終了条件が満たされた場合に（Ｓ１９のＹＥＳ）、伝搬品質判定装置１は処理を終了する。
【００６８】
［実施形態の効果］
本実施形態に係る伝搬品質判定装置１は、基地局２の電波の伝搬品質が劣化した場合に、基地局２の位置する地域における降雨の状況を示す降雨情報を取得することによって、伝搬品質の劣化が一時的か否かを判定できる。そして伝搬品質判定システムＳは、伝搬品質の劣化が一時的であると判定した場合に基地局２を管理する事業者に対する通知を送信しないため、一時的な伝搬品質の劣化の際に事業者が作業者を基地局２に派遣して無駄なコストを発生させることを抑制できる。
【００６９】
［変形例］
判定部１１３は、伝搬品質（受信レベル）の劣化に雨の影響がないと判定した場合に、伝搬品質に影響を与えている原因を推定してもよい。この場合に、伝搬品質取得部１１１は、取得した受信レベルを、基地局２の識別情報及び取得時間に関連付けて記憶部１２に蓄積する。
【００７０】
判定部１１３は、ある基地局２について伝搬品質の劣化に雨の影響がないと判定した場合に、該基地局２に関連付けられた時系列の受信レベルを記憶部１２から取得する。そして判定部１１３は、時系列の受信レベルに基づいて、伝搬品質に影響を与えている原因を推定する。
【００７１】
例えば判定部１１３は、時系列の受信レベルが漸減している（すなわち受信レベルのグラフの傾きが小さい）場合に、電波の伝搬経路上で樹木が成長していることが原因であると推定する。また、例えば判定部１１３は、時系列の受信レベルが急に低下した（すなわち受信レベルのグラフの傾きが大きい）場合に、電波の伝搬経路上に建物が建設されたこと又は台風等の外的要因によって基地局２のアンテナがずれたことが原因であると推定する。出力部１１４は、判定部１１３が推定した原因を示す情報を、記憶部１２に記憶させるか、あるいは表示端末３へ送信する。
【００７２】
ここに示した判定部１１３が原因を推定する方法は一例であり、判定部１１３はその他の方法で原因を推定してもよい。判定部１１３は、過去の時系列の受信レベルと受信レベルに影響を与えていた原因との関係を機械学習し、学習結果に基づいて伝搬品質に影響を与えている原因を推定してもよい。
【００７３】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【００７４】
伝搬品質判定装置１のプロセッサは、図６に示す伝搬品質判定方法に含まれる各ステップ（工程）の主体となる。すなわち、伝搬品質判定装置１のプロセッサは、図６に示す伝搬品質判定方法を実行するためのプログラムを記憶部から読み出し、該プログラムを実行して伝搬品質判定システムＳの各部を制御することによって、図６に示す伝搬品質判定方法を実行する。図６に示す伝搬品質判定方法に含まれるステップは一部省略されてもよく、ステップ間の順番が変更されてもよく、複数のステップが並行して行われてもよい。
【符号の説明】
【００７５】
Ｓ  伝搬品質判定システム
１  伝搬品質判定装置
１１  制御部
１１１  伝搬品質取得部
１１２  降雨情報取得部
１１３  判定部
１１４  出力部
２  基地局
【図１】
2020048080.tif 000003
【図２】
2020048080.tif 000004
【図３】
2020048080.tif 000005
【図４】
2020048080.tif 000006
【図５】
2020048080.tif 000007
【図６】
2020048080.tif 000008